(57)【要約】【課題】読み取った画像情報を地色補正する画像読取装置において、原稿の読み取りに要する時間を短縮できる画像読取装置を提供すること。【解決手段】地色補正値を算出するための１ライン分の画素値を読み取った後、その領域よりも原稿Ｇの他端Ｇｋ側の残りの領域を読み取り、その読み取った画素値を地色補正する。よって、画像読取ユニット３ａは、Ｘ方向のみに移動させれば良い。換言すれば、地色補正値を算出した後、画像読取ユニット３ａをＸ方向の逆方向に移動させて、再度、原稿Ｇの先端Ｇｓから読み取る必要がなく、読み取りに要する時間を短縮できる。【選択図】図５
2008148050.tif 000002
【特許請求の範囲】
【請求項１】
原稿を読み取る読取手段と、その読取手段と原稿とを相対的に移動させる移動手段とを備え、前記読取手段による読取動作と前記移動手段による移動動作とを繰り返して前記原稿を読み取る画像読取装置において、
前記移動手段により、原稿の一端側の第１範囲を読み取るための読み取り位置へ前記読取手段を移動させ、その読取手段を用いて前記第１範囲の画像情報を読み取る第１範囲処理手段と、
その第１範囲処理手段により読み取った前記第１範囲の画像情報を用いて、原稿の地色を補正するための地色補正値を決定する地色補正値決定手段と、
前記第１範囲処理手段により前記第１範囲の画像情報を読み取った後、前記原稿の第１範囲よりも原稿他端側の範囲である第２範囲を読み取るための読み取り位置へ前記読取手段を移動させ、その読取手段を用いて前記第２範囲の画像情報を読み取り、その読み取った第２範囲の画像情報を前記地色補正値決定手段により決定した地色補正値により補正する第２範囲処理手段とを備えていることを特徴とする画像読取装置。
【請求項２】
前記第２範囲処理手段は、
前記読取手段を用いて第２範囲内の所定領域の画像情報を読み取る読取動作と、その読取動作により所定領域の画像情報が読み取られると、隣接する次の所定領域の画像情報を読み取るための読み取り位置へ前記読取手段を移動させる移動動作とを繰り返す所定領域読取手段と、
その所定領域読取手段により所定領域の画像情報が読み取られる毎に、その画像情報を前記地色補正値決定手段により決定した地色補正値により補正する地色補正手段と、
その地色補正手段により補正された画像情報を記憶する記憶手段とを備えていることを特徴とする請求項１記載の画像読取装置。
【請求項３】
前記地色補正値決定手段は、前記第１範囲処理手段により読み取られた第１範囲が原稿の余白部分であることを条件として、前記第１範囲処理手段により読み取った前記第１範囲の画像情報を用いて、原稿の地色を補正するための地色補正値を決定するものであることを特徴とする請求項１または２に記載の画像読取装置。
【請求項４】
原稿の一端を検出する一端検出手段を備え、
前記第１範囲処理手段は、その一端検出手段により原稿の一端が検出されたときの原稿に対する読取手段の位置を、前記原稿の他端側へ所定距離移動させ、その位置で読み取られる第１範囲の画像情報を読み取るものであることを特徴とする請求項１から３のいずれかに記載の画像読取装置。
【請求項５】
前記読取手段は、前記移動手段による移動方向に対し複数の撮像素子が略垂直に並べられた撮像手段を備え、
前記第１範囲処理手段は、前記撮像手段により一度に読み取ることができる領域を第１範囲としてその画像情報を読み取るものであることを特徴とする請求項１から４のいずれかに記載の画像読取装置。
【請求項６】
前記移動手段は、原稿の第１範囲の画像情報を読み取った後、原稿の他端まで読み取るまでの間、前記原稿に対し前記読取手段を一方向にのみ移動させるものであることを特徴とする請求項１から５のいずれかに記載の画像読取装置。
【発明の詳細な説明】
【技術分野】
【０００１】
本発明は読み取った画像情報を地色補正する画像読取装置に関し、特に、原稿の読み取りに要する時間を短縮できる画像読取装置に関するものである。
【背景技術】
【０００２】
文字や絵、写真などの原稿を読み取り、デジタルの画像データに変換する画像読取装置が知られている。この種の画像読取装置において、原稿が白紙ではなく、下地色がついた色紙である場合に、画像データに対し、下地色の影響を除去するため地色補正処理を施すものが提案されている。
【０００３】
図８を参照して地色補正について説明する。図８は、下地色がついた原稿と、その原稿を読み取り、且つ地色補正することにより、下地色を除去して得られる画像データとを模式的に示す図である。原稿を読み取って得られる各画素の輝度を、例えば１６ビットのデジタルデータに変換するとき、原稿に下地色が施されていない場合（すなわち白紙である場合）、最も明るい（すなわち白色）画素の輝度が、１６ビットの最大値である”ＦＦＦＦ”に変換され、最も暗い（すなわち黒色）画素の輝度が、最小値である”００００”に変換される。これに対し、原稿に下地色がついている場合は、その下地色の輝度が最大値”ＦＦＦＦ”となるように地色補正を行う。
【０００４】
具体的には、まず原稿をプリスキャンして原稿の下地の輝度を取得し、その下地輝度に応じた地色補正値を決定する。次に、同じ原稿を再度読み取って得たデータを地色補正値を用いて補正する。このようにすれば、下地色の影響を除去した画像データを得ることができる。
【特許文献１】特開平１１−３９４６３号公報
【発明の開示】
【発明が解決しようとする課題】
【０００５】
しかしながら、従来の手法では、下地補正値を決定するための原稿のプリスキャンと、画像データを取得するための原稿の本スキャンとが必要である。すなわち、同一の原稿を２度読みする必要があり、読取処理に時間がかかるという問題点があった。原稿台に原稿を載置し、その原稿に対し読取装置を移動させつつ読み取る読取装置移動型の画像読取装置の場合は、まず、原稿を先端から読み取り、下地補正値を決定した後、再度原稿の先頭位置まで、読取装置を戻さなければならず、そのために時間がかかる。
【０００６】
また、読取装置を固定し、その読取装置に対し原稿を搬送しつつ読み取る原稿移動型の画像読取装置の場合は、原稿が読み取られ、下地補正値が決定された後、原稿の先頭を読み取り位置まで戻すために、原稿を逆方向に搬送しなければならず、そのために時間がかかる。
【０００７】
本発明は、上記問題点を解決するためになされたものであり、読み取った画像情報を地色補正する画像読取装置において、原稿の読み取りに要する時間を短縮できる画像読取装置を提供することを目的としている。
【課題を解決するための手段】
【０００８】
この目的を達成するために、請求項１記載の画像読取装置は、原稿を読み取る読取手段と、その読取手段と原稿とを相対的に移動させる移動手段とを備え、前記読取手段による読取動作と前記移動手段による移動動作とを繰り返して前記原稿を読み取るものであって、前記移動手段により、原稿の一端側の第１範囲を読み取るための読み取り位置へ前記読取手段を移動させ、その読取手段を用いて前記第１範囲の画像情報を読み取る第１範囲処理手段と、その第１範囲処理手段により読み取った前記第１範囲の画像情報を用いて、原稿の地色を補正するための地色補正値を決定する地色補正値決定手段と、前記第１範囲処理手段により前記第１範囲の画像情報を読み取った後、前記原稿の第１範囲よりも原稿他端側の範囲である第２範囲を読み取るための読み取り位置へ前記読取手段を移動させ、その読取手段を用いて前記第２範囲の画像情報を読み取り、その読み取った第２範囲の画像情報を前記地色補正値決定手段により決定した地色補正値により補正する第２範囲処理手段とを備えていることを特徴とする。
【０００９】
請求項２記載の画像読取装置は、請求項１記載の画像読取装置において、前記第２範囲処理手段は、前記読取手段を用いて第２範囲内の所定領域の画像情報を読み取る読取動作と、その読取動作により所定領域の画像情報が読み取られると、隣接する次の所定領域の画像情報を読み取るための読み取り位置へ前記読取手段を移動させる移動動作とを繰り返す所定領域読取手段と、その所定領域読取手段により所定領域の画像情報が読み取られる毎に、その画像情報を前記地色補正値決定手段により決定した地色補正値により補正する地色補正手段と、その地色補正手段により補正された画像情報を記憶する記憶手段とを備えていることを特徴とする。
【００１０】
請求項３記載の画像読取装置は、請求項１または２に記載の画像読取装置において、前記地色補正値決定手段は、前記第１範囲処理手段により読み取られた第１範囲が原稿の余白部分であることを条件として、前記第１範囲処理手段により読み取った前記第１範囲の画像情報を用いて、原稿の地色を補正するための地色補正値を決定するものであることを特徴とする。
【００１１】
請求項４記載の画像読取装置は、請求項１から３のいずれかに記載の画像読取装置において、原稿の一端を検出する一端検出手段を備え、前記第１範囲処理手段は、その一端検出手段により原稿の一端が検出されたときの原稿に対する読取手段の位置を、前記原稿の他端側へ所定距離移動させ、その位置で読み取られる第１範囲の画像情報を読み取るものであることを特徴とする。
【００１２】
請求項５記載の画像読取装置は、請求項１から４のいずれかに記載の画像読取装置において、前記読取手段は、前記移動手段による移動方向に対し複数の撮像素子が略垂直に並べられた撮像手段を備え、前記第１範囲処理手段は、前記撮像手段により一度に読み取ることができる領域を第１範囲としてその画像情報を読み取るものであることを特徴とする。
【００１３】
請求項６記載の画像読取装置は、請求項１から５のいずれかに記載の画像読取装置において、前記移動手段は、原稿の第１範囲の画像情報を読み取った後、原稿の他端まで読み取るまでの間、前記原稿に対し前記読取手段を一方向にのみ移動させるものであることを特徴とする。
【発明の効果】
【００１４】
請求項１記載の画像読取装置によれば、その第１範囲処理手段により読み取った前記第１範囲の画像情報を用いて、原稿の地色を補正するための地色補正値が決定される。そして、第１範囲処理手段により第１範囲の画像情報を読み取った後、原稿の第１範囲よりも原稿他端側の範囲である第２範囲を読み取るための読み取り位置へ読取手段を移動させる。そして、その読取手段を用いて第２範囲の画像情報を読み取り、その読み取った第２範囲の画像情報を地色補正値決定手段により決定した地色補正値により補正する。よって、地色補正のために原稿をプリスキャンし、原稿または読取手段を最初の位置関係に戻して、再度原稿を先頭から読み取る場合に比較して、原稿の読み取りに要する時間を短縮できるという効果がある。
【００１５】
請求項２記載の画像読取装置によれば、請求項１記載の画像読取装置の奏する効果に加え、所定領域読取手段により所定領域の画像情報が読み取られる毎に、その画像情報を地色補正値決定手段により決定された地色補正値により補正する地色補正手段と、その地色補正手段により補正された画像情報を記憶する記憶手段とを備えているので、読み取りながら補正をすることができる。よって、原稿を全て読み取った後に一括して補正する場合に比較して、補正前のデータを記憶しておくためのメモリ使用量を節約することができるという効果がある。
【００１６】
請求項３記載の画像読取装置によれば、請求項１または２に記載の画像読取装置の奏する効果に加え、地色補正値決定手段は、第１範囲処理手段により読み取られた第１範囲が原稿の余白部分であることを条件として、第１範囲処理手段により読み取った第１範囲の画像情報を用いて、原稿の地色を補正するための地色補正値を決定するので、適切な地色補正値を取得することができるという効果がある。
【００１７】
請求項４記載の画像読取装置によれば、請求項１から３のいずれかに記載の画像読取装置の奏する効果に加え、原稿の一端が検出されたときの原稿に対する読取手段の位置を、前記原稿の他端側へ所定距離移動させ、その位置で読み取られる第１範囲の画像情報を読み取るので、原稿の一端を第１範囲とする場合に比較して、適切な地色補正値を取得することができるという効果がある。
【００１８】
請求項５記載の画像読取装置によれば、請求項１から４のいずれかに記載の画像読取装置の奏する効果に加え、第１範囲処理手段は、撮像手段により一度に読み取ることができる領域を第１範囲としてその画像情報を読み取るものであるので、第１範囲の画像情報を短時間で読み取ることができるという効果がある。
【００１９】
請求項６記載の画像読取装置によれば、請求項１から５のいずれかに記載の画像読取装置の奏する効果に加え、移動手段は、原稿の第１範囲の画像情報を読み取った後、原稿の他端まで読み取るまでの間、原稿に対し読取手段を一方向にのみ移動させるので、地色補正値を決定した後、原稿と読取手段とを最初の位置関係に戻す場合に比較して、原稿の読み取りに要する時間を短縮することができるという効果がある。
【発明を実施するための最良の形態】
【００２０】
以下、本発明の好ましい実施形態について、添付図面を参照して説明する。図１は、本発明の実施形態における画像読取装置に相当する複合機１の外観構成を示す斜視図である。この複合機１は、ファクシミリ機能、プリンタ機能、スキャナ機能、及び、コピー機能などの各種の機能を備えている。
【００２１】
図１に示すように、複合機１は、本体下部に設けられたプリンタ２と、その上部に設けられたスキャナ３と、スキャナ３の正面側に設けられた操作パネル４とを主に備えている。プリンタ２は、スキャナ３で読み取られた画像データ或いは外部から入力された画像データに基づいて、記録用紙上に画像を記録する画像記録装置である。
【００２２】
プリンタ２の正面側には開口５が形成されており、この開口５内に給紙トレイ１４及び排紙トレイ１５が完全に内包されるように設けられている。給紙トレイ１４と排紙トレイ１５は上下二段となるように配設されており、上段に排紙トレイ１５が設けられ、その下方に給紙トレイ１４が設けられている。給紙トレイ１４は、略長方形の器状に形成されており、長方形の記録用紙を平面視で縦向きに積載するものである。
【００２３】
プリンタ２には、給紙トレイ１４の奥側から上方へ延びた後に正面側へＵ字状に湾曲して排紙トレイ１５に連結される用紙搬送路が設けられている。給紙トレイ１４に収容された記録用紙は、その短辺を先頭にして用紙搬送路に送り出され、Ｕターン搬送されることによって用紙搬送路中に設けられた画像記録位置に案内される。そして、該画像記録位置で、プリンタ２によって画像が記録用紙に記録される。画像記録後の記録用紙は排紙トレイ１５に排出される。
【００２４】
複合機１の正面側には、操作パネル４が設けられている。操作パネル４は、プリンタ２やスキャナ３を操作するためのものであり、原稿読み取りボタンなどの各種操作キー４０や液晶ディスプレイ（ＬＣＤ）４１とを具備する。ユーザは、操作パネル４を用いて、所望の指令を入力することができる。複合機１に所定の指令が入力されると、その入力された情報に基づいて該複合機１の動作がＣＰＵ２１（図４参照）により制御される。なお、複合機１は、操作パネル４から入力された指令のほか、コンピュータに接続されて該コンピュータからプリンタドライバやスキャナドライバ等を介して送信される指令に基づいて動作するようにシステム構成されている。
【００２５】
プリンタ２の上記開口５の上側には、接続パネル７０が設けられている。この接続パネル７０には、その左端側にＵＳＢ端子７１が配設されている。ＵＳＢ端子７１は、外部機器をＵＳＢケーブルを用いて接続することにより該外部機器と本複合機１とを通信可能に接続するコネクタ端子である。
【００２６】
スキャナ３は、ＦＢＳ（Ｆｌａｔ  Ｂｅｄ  Ｓｃａｎｎｅｒ）として機能する原稿読取台６に対して、自動原稿搬送機構（ＡＤＦ：Ａｕｔｏ  Ｄｏｃｕｍｅｎｔ  Ｆｅｅｄｅｒ、以下、「ＡＤＦ」と称す）７を備えた原稿カバー８が、背面側の蝶番１１（図２参照）を介して開閉自在に取り付けられている。ＡＤＦ７は、原稿トレイ９から原稿排出トレイ１０へ原稿搬送路を通じて原稿を搬送するものである。
【００２７】
図２は、原稿カバー８が開かれた状態の複合機１の外観を示す斜視図である。図２に示すように、原稿カバー８の裏側には、原稿押さえ１９が設けられている。原稿押さえ１９は、少なくとも片面が白色に形成された板状の部材であり、白色面が下向きに固定されている。原稿読取台６の上面は大きく開口されており、その開口部にはプラテンガラス１２が嵌め込まれている。原稿読取台６の内部には、画像読取ユニット３ａ（図３参照）、或いは画像読取ユニット３ａを支持し、駆動させる駆動ユニット３ｆ（図３参照）機構などを配設するスペースが確保されおり、画像読取ユニット３ａは、Ｘ方向（移動方向）に往復移動可能に設けられている。この画像読取ユニット３ａについて、詳細は後述する。
【００２８】
このように構成されたスキャナ３をＦＢＳとして使用する場合は、原稿カバー８を開いてプラテンガラス１２上に原稿を載置し、その後、原稿カバー８を閉じて当該原稿を固定する。原稿は、プラテンガラス１２と原稿押さえ１９との間に挟まれることにより固定される。そして、読取開始指令が入力されると、原稿は、画像読取ユニット３ａがプラテンガラス１２の裏面に沿ってＸ方向に走査することにより、その画像読み取りが行われる。
【００２９】
ＡＤＦ７を使用し、原稿を自動搬送させて読み取る場合は、ＡＤＦ７による原稿の搬送過程において、原稿が原稿読取台６上の読取面１３を通過し、該読取面１３の下方に移動して待機する画像読取ユニット３ａ（図３参照）によって該原稿の画像が読み取られる。このようなＡＤＦ７による画像読み取りは、原稿カバー８が原稿読取台６に対して閉じられた状態で行われる。
【００３０】
次に、図３を参照して、スキャナ３の概略について説明する。図３（ａ）は、スキャナ３と、スキャナ３に配置された原稿とを概略的に表した上面図であり、図３（ｂ）は、図３（ａ）に示すＡ−Ａ’断線面における断面図であり、複合機１を正面視したものである。図３に示すように、原稿読取台６の開口部には、プラテンガラス１２が嵌め込まれており、その下方には画像読取ユニット３ａが設けられている。また、スキャナ３は、画像読取ユニット３ａをＸ方向に往復移動可能に駆動する駆動ユニット３ｆを備えている。
【００３１】
図３（ａ）に示すように、原稿Ｇは、画像Ｐとその周囲を囲む余白部分Ｙとにより形成されている。原稿Ｇは、読み取り面である画像Ｐが下面に向けられ、原稿Ｇの対向する両端がＸ方向に略垂直になるように、プラテンガラス１２上に載置される。なお、原稿Ｇは、ユーザの手作業によりプラテンガラス１２上に載置されるので、原稿Ｇの向きや位置には多少のばらつきが生じる。ここでいう「原稿Ｇの対向する両端がＸ方向に略垂直に」とは、原稿Ｇの対向する両端がＸ方向に略垂直となる向きを目標として、ユーザが手作業により原稿Ｇを載置した場合に生じ得るばらつきを含む意味であり、原稿Ｇの対応する両端がＸ方向に概ね垂直であることを意味している。
【００３２】
原稿カバー８は閉じられており、原稿Ｇは、プラテンガラス１２と原稿押さえ１９とに挟まれ固定されている。なお、スキャナ３により原稿が読み取られる場合は、読み取られる原稿の寸法に関わらず、原稿読取ユニット３ａにより読み取り可能な領域全てが読み取られる。読み取られたデータから原稿の領域が検出され、さらに、原稿の領域に含まれる余白部分Ｙが検出される。
【００３３】
画像読取ユニット３ａは、光を照射する光源（ＬＥＤ）３ｂと、原稿の読み取り部分に光を収束させるための導光体３ｃと、原稿から反射された反射光を電荷結合素子（以下、「ＣＣＤ」と称す）３ｅに集光させるための導光体３ｄと、受光した光の強度に応じて電圧を出力するＣＣＤ３ｅとを主に備え、駆動ユニット３ｆにより、Ｘ方向に往復移動可能に設けられている。
【００３４】
画像読取ユニット３ａによれば、はじめに、ＬＥＤ３ｂが点灯され、光が照射される。その光は、導光体３ｃにより経路が変更され、照射光ＳとしてＣＣＤ３ｅの上方に向かって照射される。そして原稿押さえ１９または原稿Ｇの表面で反射された光のうち、ＣＣＤ３ｅに向かって反射する反射光Ｒは、導光体３ｄにより集光され、ＣＣＤ３ｅにより受光される。受光した光の強度に応じてＣＣＤ３ｅから電圧値が出力される。
【００３５】
ＣＣＤ３ｅは、複数の撮像素子が、Ｘ方向に垂直な方向に直線上に配設されたものであり、一の素子が画像データの１ラインの１の画素を形成する。ＣＣＤ３ｅにより１ライン分の読み取りが行われると、画像読取ユニットはＸ方向に１ライン分移動され、次の１ライン分の読み取りが行われる。この読み取りと移動とが繰り返され、原稿Ｇの後端Ｇｋまで読み取りが行われる。
【００３６】
なお、ＣＣＤ３ｅによる１ライン分の読み取りが、特許請求の範囲に記載の「読取動作」の一例に相当し、画像読取ユニット３ａの１ライン分の移動が、特許請求の範囲に記載の「移動動作」の一例に相当し、ＣＣＤ３ｅにより読み取られる１ラインでカバーされる領域が、特許請求の範囲に記載の「一度に読み取ることができる領域」の一例に相当する。
【００３７】
ＣＣＤ３ｅの各素子より入力された電圧値は、それぞれ１６ビットの数値データに変換され、出力される。すなわち、ＣＣＤ３ｅの一の素子に対応する画素値は、１６ビットの数値で形成され、出力される。なお、本実施形態の画像読取ユニット３ａは、原稿Ｇをグレースケールで読み取るものであって、ＣＣＤ３ｅが出力する画素値は、白と黒との間における段階的な濃淡（階調）を表現する値である。この画素値が、特許請求の範囲に記載の「画像情報」の一例に相当する。
【００３８】
ＣＣＤ３ｅから出力された画素値は、補正処理が行われてＲＡＭ２３（図４参照）の画像メモリ２３２に書き込まれる。この補正処理については、図５を参照して後述する。
【００３９】
操作キー４０の原稿読み取りボタンが押下されると、原稿Ｇの読み取りが開始される。画像読取ユニット３ａが原稿の読み取り開始位置（Ｘ０）に移動され、原稿Ｇの読み取りが開始される。まず、画像読取ユニット３ａからＣＣＤ３ｅの上部に向かって照射光Ｓが照射される。ＣＣＤ３ｅの上部に原稿が配置されていないため、原稿押さえ１９の表面で反射した光が読み取られる。そして原稿Ｇの先端Ｇｓが検出されるまで、１ライン分の読み取りと画像読取ユニット３ａの１ライン分の移動とを繰り返す。
【００４０】
このようにして処理を繰り返すうちに、画像読取ユニット３ａが、Ｘ方向に略垂直な原稿Ｇの先端Ｇｓ（特許請求の範囲に記載の一端の一例）が読み取られる位置（Ｘ１）まで移動されると、原稿Ｇの先端Ｇｓが読み取られ、画像データとして画像メモリ２３ａに記憶される。図３（ｂ）に示すように、正面視した照射光Ｓは、左上方に向かうよう角度が設けられているため、この原稿Ｇの先端Ｇｓで光の回折が生じて反射光Ｒが強くなり、原稿押さえ１９よりも白い画像データとなるため、原稿押さえ１９と原稿Ｇとの境界を検出することができる。
【００４１】
そして、原稿Ｇの読み取りと移動とが繰り返される。Ｘ方向に略垂直な原稿Ｇの後端Ｇｋ（特許請求の範囲に記載の他端の一例）が読み取られる位置（Ｘ２）に、画像読取ユニット３ａが移動され、原稿Ｇの後端Ｇｋが読み取られて、画像データとして画像メモリ２３ａに記憶される。照射光Ｓに角度が設けられているため、この原稿Ｇの後端Ｇｋで光の回折が生じて反射光Ｒが弱くなり、原稿押さえ１９よりも黒い画像データとなるため、原稿Ｇと原稿押さえ１９との境界を区別することができる。
【００４２】
スキャナ３により読み取られた画像データは、画像Ｐの画像データ（以下、単に「画データ」と称す）とその周囲を囲む余白部分Ｙの画像データ（以下、単に「余白データ」と称す）とにより形成されている。余白データは画素値が略同一であるので、読み込んだ１ライン分の画素値の値が略同一であることに基づいて、その１ライン分の画像データが余白データであることを判別できる。
【００４３】
図４は、複合機１の電気的構成を示したブロック図である。複合機１は、プリンタ２、スキャナ３、ＣＰＵ２１、ＲＯＭ２２、ＲＡＭ２３、ＥＥＰＲＯＭ２４、ＡＳＩＣ２６、ネットワーク・コントロール・ユニット（以下、「ＮＣＵ」と称す）３１、モデム３２、操作キー４０、ＬＣＤ４１、ＵＳＢ端子７１、アンプ７３、スピーカ７４を主に備え、これらはバスライン２５を介してお互いに接続されている。
【００４４】
ＣＰＵ２１は、ＲＯＭ２２やＲＡＭ２３に記憶される固定値やプログラム或いは、複合機１が備えている各機能の制御や、ＮＣＵ３１を介して送受信される各種信号にしたがって、バスライン２５により接続された各部を制御するものである。ＲＯＭ２２は、この複合機１で実行される各種の制御プログラム２２ａを記憶する書換不能なメモリであり、ＲＡＭ２３は各種のデータを記憶するための書換可能なメモリであり、地色補正値メモリ２３１および画像メモリ２３２を備えている。地色補正値メモリ２３１は、スキャナ３により読み取った画素値を地色補正する際に用いられる地色補正値を記憶するメモリであるが、詳細は後述する。画像メモリ２３２は、スキャナ３により読み取られた原稿の画像データを記憶するメモリである。
【００４５】
ＮＣＵ３１は電話網（図示しない）に対するダイヤル信号の送出や、電話網からの呼出信号の応答等の動作を行うものである。モデム３２は、ＮＣＵ３１を介して、画像データを変調及び復調し、相手ファクシミリ装置（図示しない）へ伝送すると共に、伝送制御用の各種手順信号を送受信するためのものである。ＵＳＢ端子７１は、コンピュータとＵＳＢケーブル（図示しない）を介してデータの送受信を行うための既知の回路である。アンプ７３は、そのアンプ７３に接続されたスピーカ７４を鳴動して、呼出音などを出力するためのものである。
【００４６】
次に、図５、図６を参照して、上記のように構成される複合機１において実行される、読取処理について説明する。図５は、複合機１で実行される読取処理のフローチャートであり、図６は、図５に示す読取処理で読み取られる原稿Ｇを模式的に示す説明図である。以下、図６に示す説明図を適宜参照しつつ、図５に示すフローチャートについて説明する。
【００４７】
図５に示す読取処理は、操作キー４０の原稿読み取りボタンがユーザによって押下されると実行される処理である。まず、画像読取ユニット３ａ（図３参照）を原稿読み取り開始位置（Ｘ０）に移動し、原稿Ｇの読み取りを開始する（Ｓ１）。そして１ライン分の画素値を読み取り、画像読取ユニット３ａをＸ方向へ１ライン分移動する（Ｓ２）。そして、原稿Ｇの先端Ｇｓが検出されたか否かを判断する（Ｓ４）。原稿Ｇの先端Ｇｓが検出されない間は（Ｓ４：Ｎｏ）、１ライン分の読み取りと画像読取ユニット３ａの１ライン分の移動とを繰り返す。
【００４８】
このようにして処理を繰り返すうちに、原稿Ｇの先端Ｇｓが検出されると（Ｓ４：Ｙｅｓ）、次に、画像読取ユニット３ａをＸ方向へ所定距離移動させる（Ｓ６）。ここでいう所定距離とは、例えば、２〜５ｍｍ程度をいう。次に、画像読取ユニット３ａをＸ方向へ所定距離移動させた読み取り位置において、１ライン分の画素値を読み取る（Ｓ８）。すなわち、図６（ａ）に示すように、画像読取ユニット３ａによる１ライン分の読み取り範囲に対し、原稿Ｇの先端ＧｓがＸ方向に対し正確に垂直に配置されていれば、原稿Ｇの先端Ｇｓが検出された位置で、原稿の先端Ｇｓの幅方向両端を含む範囲を読み取ることができる。
【００４９】
しかし、図６（ｂ）に示すように、原稿Ｇの先端ＧｓがＸ方向に対し正確な垂直に配置されていない場合、原稿Ｇの先端Ｇｓが検出された位置で１ライン分の画素値を読み取ったとしても、その１ラインが原稿の幅方向（すなわち原稿先端Ｇｓに垂直な方向）をカバーしていない場合があり得る。よって、Ｓ４の処理において、原稿Ｇの先端Ｇｓが検出されると、その位置から画像読取ユニット３ａをＸ方向へ所定距離移動させた読み取り位置において、次の１ラインを読むことにより、図６（ｃ）に示すように、原稿Ｇが斜めに載置されている場合であっても、Ｓ８の処理では、確実に、原稿Ｇの幅方向をカバーした１ラインを読み取ることができる。後述するように、Ｓ８の処理で読み取られた１ライン分の画素値は、地色補正値の算出に用いられるから、可能な限り広い範囲をカバーした１ラインを読み取ることにより、１ライン分の画素値からでも、適切な地色補正値を算出することができるのである。
【００５０】
図５に戻り説明する。次に、Ｓ８の処理で読み取った１ライン分の領域が余白部分Ｙか否かを、画素値に基づいて判断する（Ｓ１０）。余白部分Ｙは、画像Ｐが描かれていない領域なので、画素値は略同一である。よって、例えば、読み取った１ライン分の画素値のばらつきが所定範囲内にあるか否かに基づいて、余白データか否かを判断することができるが、余白データであるか否かを判断するための具体的手法は、公知の様々な手法を適用可能である。
【００５１】
読み取った１ライン分の画素値が余白データではない場合（Ｓ１０：Ｎｏ）、すなわち画データである場合、画像読取ユニット３ａをＸ方向に１ライン分移動し（Ｓ２４）、１ライン分の画素値を読み取る（Ｓ２６）。そして読み取った１ライン分の画素値を、画像メモリ２３２に記憶する（Ｓ２８）。なお、画像メモリ２３２に記憶する前に、読み取った１ライン分の画素値に公知のシェーディング補正を施し、明るさのムラを調整する補正を行ってもよい。次に、読み取りを終了したか否かを判断する（Ｓ３０）。読み取りの終了は、例えば、原稿Ｇの後端Ｇｋが検出されることに基づいて判断することができる。
【００５２】
読み取りが終了されない間は（Ｓ３０：Ｎｏ）、Ｓ１４から処理を繰り返す。一方、読み取りを終了すると（Ｓ３０：Ｙｅｓ）、この読取処理を終了する。このように、Ｓ８の処理において読み取った１ライン分の画素値が余白データではない場合は、地色補正を行わずに読み取った画像データを画像データメモリ２３２に記憶し、処理を終了する。
【００５３】
一方、Ｓ８の処理で読み取った１ライン分の画素値が余白データである場合（Ｓ１０：Ｙｅｓ）、次に、読み取った１ライン分の画素値から、値が上位の１６画素分の画素値を抽出する。各画素値は、値が大きいほど明るく（すなわち白い）、値が小さいほど暗い（すなわち黒い）。すなわち、値が上位の画素値を抽出することは、読み取った１ライン分の画素値から、最も明るい１６画素分の画素値を抽出することを意味する。そして、抽出した１６画素分の画素値の平均値を算出し、その平均値を用いて、下記式（１）から地色補正値を算出する。なお、下記式（１）において、画素値の取り得る最大値とは、画素値を表すビット数で取り得る最大値である。例えば、各画素値が１６ビットのデータである場合は、画素値がとり得る最大値は、”ＦＦＦＦ”（１６進数で表現）である。
【００５４】
地色補正値＝画素値が取り得る最大値／抽出した画素値の平均値    ・・・（１）
このようにして算出した地色補正値は、地色補正値メモリ２３１（図３参照）に記憶される（Ｓ１２）。上述したように、Ｓ８の処理で読み取った領域は、原稿Ｇの幅方向をカバーした１ラインであり、且つ、読み取った１ライン分の画素値は余白データであることが判断されているから、適切な地色補正値を算出することができる。なお、Ｓ８の処理で読み取られる、１ライン分の領域が、特許請求の範囲に記載の「第１範囲」の一例に該当する。
【００５５】
次に、画像読取ユニット３ａをＸ方向に１ライン分移動し（Ｓ１４）、次の１ライン分の画素値を読み取る（Ｓ１６）。そして、読み取った１ライン分の画素値を、地色補正値メモリ２３１に記憶された地色補正値で補正する。この補正は、例えば下記式（２）に従って処理することができる。
【００５６】
補正後の画素値＝地色補正値×読み取った画素値  ・・・（２）
次に、補正後の画素値を画像メモリ２３２に記憶する（Ｓ２０）。なお、地色補正を行う前に、公知のシェーディング補正を行っても良い。
【００５７】
このように、地色補正値を算出した後は、その地色補正値を算出するために読み取った領域よりも原稿Ｇの後端Ｇｋ側にある残りの領域の画素値についてのみ、地色補正を施し、画像データとして画像メモリ２３２に記憶する。一方、Ｓ８の処理で読み取られた１ライン分の画素値は、地色補正されず、また画像メモリ２３２に記憶されない。しかしながら、地色補正値を算出するために用いられた１ライン分の画素値は余白データであるため、画像データに含まないこととしても影響は小さい。
【００５８】
次に、読み取りを終了したか否かを判断する（Ｓ２２）。読み取りの終了は、例えば、原稿Ｇの後端Ｇｋが検出されることに基づいて判断することができる。読み取りが終了されない間は（Ｓ２２：Ｎｏ）、Ｓ１４に戻り、次の１ライン分の画素値の読み込みと、地色補正、および画像メモリ２３２への記憶を繰り返す。このように、１ライン分の画素値が読み取られる毎に、その画素値を地色補正し、その地色補正された画素値を画像メモリ２３２（図３参照）に記憶することにより、読み取りながら地色補正をすることができる。よって、読み取った画像データを１ラインずつメモリに蓄積し、原稿Ｇを全て読み取った後に一括して補正する場合に比較して、メモリ使用量を節約することができる。
【００５９】
このようにして処理を繰り返すうちに、読み取りを終了すると（Ｓ２２）、この読取処理を終了する。なお、Ｓ１４からＳ２２の処理において画素値が読み取られる領域が、特許請求の範囲に記載の「第２範囲」の一例に該当する。
【００６０】
本実施形態の複合機１によれば、地色補正値を算出するための１ライン分の画素値をＳ８の処理により読み取った後、その領域よりも原稿Ｇの他端Ｇｋ側の残りの領域を読み取り、その読み取った画素値を地色補正する。よって、地色補正値を算出した後も、画像読取ユニット３ａは、一方向のみに移動させれば良く、逆方向に戻す必要がない。また、地色補正値を算出するために読み取られた領域を２度読みする必要がない。したがって、地色補正する場合にあっても、読み取りに要する時間を短縮できる。
【００６１】
また、本実施形態の複合機１によれば、Ｓ８の処理において読み取った１ライン分の画素値が余白データであることを条件として、地色補正値を決定するので、適切な地色補正値を取得することができる。
【００６２】
また、本実施形態の複合機１によれば、１ライン分の画素値を用いて地色補正値を算出するので、地色補正値算出のための読み取りを短時間で行える。
【００６３】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００６４】
例えば、実施形態として説明した図５の読取処理は、地色補正値算出のために読み取った１ライン分の画素値は、地色補正せず、また、画像メモリ２３２に記憶されなかった。すなわち廃棄されていた。これに替えて、地色補正値算出のために読み取った１ライン分の画素値についても、地色補正を施し、画像メモリ２３２に記憶するように構成してもよい。以下、変形例の読取処理について説明する。
【００６５】
図７は、変形例の読取処理を示すフローチャートである。この変形例の読取処理は、Ｓ９、Ｓ１３のステップが設けられている点のみが、図５で示した実施形態の読取処理と異なる。よって、図５で示した読取処理と同じステップについては同一の符号を付して説明を省略する。
【００６６】
この変形例の読取処理では、Ｓ８の処理で、読み取った１ライン分の画素値をＲＡＭ２３（図４参照）に記憶する（Ｓ９）。そして、Ｓ１２において地色補正値が算出されると、ＲＡＭ２３に記憶した１ライン分の画素値を読み込み、Ｓ１２において算出された地色補正値で補正し、画像データとして画像メモリ２３２に記憶する（Ｓ１３）。そして、画像読取ユニット３ａを１ライン分移動させ（Ｓ１４）、残りの領域の読み取りと地色補正とを繰り返す。
【００６７】
変形例の読取処理によれば、地色補正値を算出するために用いた画素値は、一旦ＲＡＭ２３に記憶され、地色補正値が算出された後、地色補正されて、画像データとして記憶される。よって、画像読取ユニット３ａをＸ方向の逆方向に戻さなくとも、Ｓ８において読み取った１ライン分の画素値を地色補正することができる。
【００６８】
また、上記実施形態では、スキャナ３をＦＢＳとして使用する際に、本発明を適用する場合について説明した。すなわち位置を固定した原稿Ｇに対し、画像読取ユニット３ａを移動させて原稿Ｇを読み取る際に、本発明を適用していた。しかしながら、本発明は、ＡＤＦ７を使用し、原稿Ｇを自動搬送させて読み取る場合にも適用することができる。すなわち、画像読取ユニット３ａの位置を固定とし、画像読取ユニット３ａに対して原稿Ｇを移動させて読み取る場合にも適用することができる。その場合、ＡＤＦ７が特許請求の範囲に記載の移動手段の一例に該当する。
【００６９】
また、上記実施形態では、画像読取ユニット３ａが、原稿Ｇをグレースケールで読み取るものとして説明したが、画像読取ユニット３ａが、原稿Ｇをカラーで読み取るものである場合にも、本発明を適用することができる。その場合、ＣＣＤ３ｅによって読み取られたＲＧＢ値またはそのＲＧＢ値から算出される輝度値が、特許請求の範囲に記載の「画像情報」の一例に該当する。
【００７０】
また、上記実施形態の画像読取装置は、複数の機能を実現する複合機１であったが、本発明の適用は複合機に限られるものではなく、原稿の画像を読み取る読取手段を備えた装置であれば、画像読取装置として本発明を適用することができる。
【図面の簡単な説明】
【００７１】
【図１】本発明の実施形態における画像読取装置に相当する複合機の外観構成を示す斜視図である。
【図２】原稿カバーが開かれた状態の複合機の外観を示す斜視図である。
【図３】（ａ）は、スキャナと、スキャナに配置された原稿とを概略的に表した上面図であり、（ｂ）は、（ａ）に示すＡ−Ａ’断線面における断面図であり、複合機を正面視したものである。
【図４】複合機の電気的構成を示したブロック図である。
【図５】複合機で実行される読取処理のフローチャートである。
【図６】図５に示す読取処理で読み取られる原稿を模式的に示す説明図である。
【図７】変形例の読取処理を示すフローチャートである。
【図８】従来の地色補正を説明する図であって、下地色がついた原稿と、その原稿を読み取り、且つ地色補正することにより、下地色を除去して得られる画像データとを模式的に示す図である。
【符号の説明】
【００７２】
１                  複合機（画像読取装置）
３ａ                画像読取ユニット（読取手段）
３ｅ                ＣＣＤ（撮像手段）
３ｆ                駆動ユニット（移動手段）
２３２              画像メモリ（記憶手段）
Ｇ                  原稿
Ｇｓ                先端（原稿の一端）
Ｇｋ                後端（原稿の他端）
Ｙ                  余白部分
Ｓ４                一端検出手段
Ｓ６，Ｓ８          第１範囲処理手段
Ｓ１２              地色補正値決定手段
Ｓ１４〜Ｓ２２      第２範囲処理手段
Ｓ１４，Ｓ１６      所定領域読取手段
Ｓ１８              地色補正手段
【図１】
2008148050.tif 000003
【図２】
2008148050.tif 000004
【図３】
2008148050.tif 000005
【図４】
2008148050.tif 000006
【図５】
2008148050.tif 000007
【図６】
2008148050.tif 000008
【図７】
2008148050.tif 000009
【図８】
2008148050.tif 000010